(57)【要約】      （修正有）【課題】搬送設備を通常のコンベアーの制限速度で運転し、これに乗客を載せた後、長いコンベアーに自動的に移乗させることにより、長いコンベアーの運行速度を上げることを可能にする。【解決手段】往復型搬送設備１２の第一踏棒２７及び第二踏棒２８の先端が差し込まれるよう、等ピッチの多数の角溝４をその上面に設けた横向長尺踏板３を並列して多数本並べて、その下に数本の鋼製板チェイン６を直交するように配置して、その横向長尺踏板３の裏面の突出部の孔５と鋼製板チェイン６のリンク板の孔７を長尺串棒８により串差しして取付けて鋼製板チェイン６と多数の横向長尺踏板３がすだれ状に組合わされて出来た屈曲可能な折板式コンベアーの構造とする。上記折板式コンベアー上の乗客を第一踏棒２７及び第二踏棒２８の上に自動的に移乗させることを可能にする往復動型搬送設備の構造とする。【選択図】図１
2010042930.tif 000002
【特許請求の範囲】
【請求項１】
建物床用櫛型踏板３７の先端又は往復型搬送設備１２の第一踏棒２７及び第二踏棒２８の先端が差し込まれるよう、等ピッチの多数の角溝４をその上面に設けた横向長尺踏板３を並列して多数本並べて、その下に数本の鋼製板チェイン６を直交するように配置して、その横向長尺踏板３の裏面の突出部の孔５と鋼製板チェイン６のリンク板の孔７を長尺串棒８により串差しして取付けて鋼製板チェイン６と多数の横向長尺踏板３がすだれ状に組合わされて出来た屈曲可能な折板式コンベアーの構造
【請求項２】
請求項１に記載された折板式コンベアーに接続する搬送設備に於いて物差状鋼板の第一踏棒２７を横向きに立て、同じ形状の第二踏棒２８をそれに添わして重ねて立て、次にその踏棒の厚さと略同寸の空間をあけて、再び第一踏棒２７、第二踏棒２８、及び空間を繰り返して簀子状に配置した後、第一踏棒２７は第一往復移動台３１に取付けられた２本の第一踏棒支持梁２９に立てた状態で固定して、第一昇降台３５上を第一踏棒２７の表手方向に滑動しうるようにして第一踏棒２７の先端を折板式コンベアー１の横向長尺踏板３上面の多数の角溝４又は建物床用櫛型踏板３７の切込み部内に差し込んで往復運動させる構造とし、この差し込み前進のときは第一踏棒２７の上面を折板式コンベアー１の横向長尺踏板３の上面より僅かに低くして前進させて横向長尺踏板３の角溝４内に差し込んだ後、直ちにその上面を横向長尺踏板３の上面より僅かに高く押し上げて、そのまま水平に後方まで引き戻し、この位置で僅かに低く下げ、再び前進させる周遊運動させ、又、第二踏棒２８は同様に第二往復移動台３２に取付けられた２本の第二踏棒支持梁３０に固定し、第二昇降台３６上を第二踏棒２８の長手方向に滑動しうるようにすることにより、第二踏棒２８も第一踏棒２７と同じ回路を半周期遅れて周遊運動することにより折板式コンベアー１上の乗客又は積載物をこの往復型搬送設備１２の第一踏棒２７及び第二踏棒２８上、引きずり込んで乗り移らせることが可能になり、又、この往復型搬送設備１２の上より建物床用櫛型踏板３７又は折板式コンベアー１上に送り出すことを可能にするため、一台の減速機付モーター１４の前後の駆動軸に取付けた各々１個のウォーム歯車１６を中心とした６個の歯車群、２組の機構で第一踏棒２７及び第二踏棒２８の周遊運動を支持するように、即ちウォーム歯車１６により両側の二個の往復動用歯車１７及び１８を同時に回転し、更にこれに噛み合っている同歯数の四個の円筒カム付歯車１９、２０、２１及び２２も同時に回転させる構造とし、第一踏棒２７を折板式コンベアー１又は建物床用櫛型踏板３７に向かい前進させるときは第一往復動用歯車１７の回転により第一往復移動用リンク３４を介して第一往復移動台３１を左へ押し進め、第一踏棒２７の先端が最左位置に達すると第一左円筒カム付歯車１９と第一右円筒カム付歯車２０はそれぞれこれらに噛み合うカム用小車輪２５を押し上げ、従って第一昇降台３５は押し上げられ第一往復移動台３１従って第一踏棒２７は僅かに押し上げられ、そのまま回転する第一往復動用歯車１７により、第一往復移動用リンク３３を介して水平に後方まで引き戻され、同時に回転する第一左円筒カム付歯車１９と第一右円筒カム付歯車２０により僅かに引き下げられ、次にそのまま第一往復動用歯車１７の回転により前方に押し出される運動を繰り返す、同時にウォーム歯車１６に噛み合って駆動されている同形状の第二往復動用歯車１８及び第二左円筒カム付歯車２１及び第二右円筒カム付歯車２２の作動により第二踏棒２８も同じ回路を半周期遅れて周遊運動しうるようにした往復動型搬送設備の構造。
【請求項３】
請求項１に記載した折板式コンベアー１の両端に請求項２に記載した往復動型搬送設備１２を接続して、更に該搬送設備１２の外側、両端に建物床用櫛型踏板３７を配置することにより、乗客は中速運転の往復動型搬送設備１２に乗り込み、次に高速運転の折板式コンベアー１に乗り移ることにより折板式コンベアー１の運行速度を引上げ、又折板式コンベアー１より中速の往復動型搬送設備１２に乗り移った後、建物床に安全に降りうるようにした高低速複合搬送設備の構造
【発明の詳細な説明】
【技術分野】
【０００１】  乗客又は積載物を搬送するベルトコンベアーとこのコンベアーに接続する附帯設備である。
【背景技術】
【０００２】  従来の乗客を搬送するコンベアーは昇降用エスカレーターの部品を使用してその上面の多数の溝に床面の踏板の櫛歯を噛み合わせることにより靴先のつまずきを防いでいる。このためエスカレーターの複雑な部品を使用するため製作費は高価になっている。
【発明が解決しようとする課題】
【０００３】  本発明は従来の構造より簡単な構造により同じように床に取付けた櫛歯型踏板に乗降できるようにする。
【０００４】  コンベアーの乗り移り、又、床に降りるとき、この安全を保つために一定以上のコンベアーの速度を上げることが出来ない。そのため本発明の搬送設備をコンベアーの両端に接続し、これに乗客を載せた後、長いコンベアーに自動的に移乗させることにより、長いコンベアーの運行速度を上げることが可能になり、大幅な輸送能力の向上が期待できる。又コンベアーより降りるときも、同じ構造の搬送装置に移乗し、それから床面に降りることにより安全を保つことが出来る。
【課題を解決するための手段】
【０００５】  建物床用櫛型踏板３７の先端又は往復型搬送設備１２の第一踏棒２７及び第二踏棒２８の先端が差し込まれるよう、等ピッチの多数の角溝４をその上面に設けた横向長尺踏板３を並列して多数本並べて、その下に数本の鋼製板チェイン６を直交するように配置して、その横向長尺踏板３の裏面の突出部の孔５と鋼製板チェイン６のリンク板の孔７を長尺串棒８により串差しして取付けて鋼製板チェイン６と多数の横向長尺踏板３がすだれ状に組合わされて出来た屈曲可能な折板式コンベアーの構造とする。
【０００６】  上記の折板式コンベアーに接続する搬送設備として物差状鋼板の第一踏棒２７を横向きに立て、同じ形状の第二踏棒２８をそれに添わして重ねて立て、次にその踏棒の厚さと略同寸の空間をあけて、再び第一踏棒２７、第二踏棒２８、及び空間を繰り返して簀子状に配置した後、第一踏棒２７は第一往復移動台３１に取付けられた２本の第一踏棒支持梁２９に立てた状態で固定して、第一昇降台３５上を第一踏棒２７の表手方向に滑動しうるようにして第一踏棒２７の先端を折板式コンベアー１の横向長尺踏板３上面の多数の角溝４又は建物床用櫛型踏板３７の切込み部内に差し込んで往復運動させる構造とする。
【０００７】  上記の第一踏棒２７の差し込み前進のときは第一踏棒２７の上面を折板式コンベアー１の横向長尺踏板３の上面より僅かに低くして前進させて横向長尺踏板３の角溝４内に差し込んだ後、直ちにその上面を横向長尺踏板３の上面より僅かに高く押し上げて、そのまま水平に後方まで引き戻し、この位置で僅かに低く下げ、再び前進させる周遊運動させ、又、第二踏棒２８は同様に第二往復移動台３２に取付けられた２本の第二踏棒支持梁３０に固定し、第二昇降台３６上を第二踏棒２８の長手方向に滑動しうるようにすることにより第二踏棒２８も第一踏棒２７と同じ回路を半周期遅れて周遊運動することにより折板式コンベアー１上の乗客又は積載物をこの往復型搬送設備１２の第一踏棒２７及び第二踏棒２８上、引きずり込んで乗り移らせることが可能になる。
【０００８】  又、この往復型搬送設備１２の上より建物床用櫛型踏板３７又は折板式コンベアー１上に送り出すことを可能にするため、一台の減速機付モーター１４の前後の駆動軸に取付けた各々１個のウォーム歯車１６を中心とした６個の歯車群、２組の機構で第一踏棒２７及び第二踏棒２８の周遊運動を支持するように、即ちウォーム歯車１６により両側の二個の往復動用歯車１７及び１８を同時に回転し、更にこれに噛み合っている同歯数の四個の円筒カム付歯車１９、２０、２１及び２２も同時に回転させる構造とし、第一踏棒２７を折板式コンベアー１又は建物床用櫛型踏板３７に向かい前進させるときは第一往復動用歯車１７の回転により第一往復移動用リンク３４を介して第一往復移動台３１を左へ押し進め、第一踏棒２７の先端が最左位置に達すると第一左円筒カム付歯車１９と第一右円筒カム付歯車２０はそれぞれこれらに噛み合うカム用小車輪２５を押し上げ、従って第一昇降台３５は押し上げられ第一往復移動台３１、従って第一踏棒２７は僅かに押し上げられ、そのまま回転する第一往復動用歯車１７により、第一往復移動用リンク３３を介して水平に後方まで引き戻され、同時に回転する第一左円筒カム付歯車１９と第一右円筒カム付歯車２０により僅かに引き下げられ、次にそのまま第一往復動用歯車１７の回転により前方に押し出される運動を繰り返す、同時にウォーム歯車１６に噛み合って駆動されている同形状の第二往復動用歯車１８及び第二左円筒カム付歯車２１及び第二右円筒カム付歯車２２の作動により第二踏棒２８も同じ回路を半周期遅れて周遊運動しうるようにする。
【０００９】  本発明により乗客等を搬送するコンベアーの構造が簡単になると共にこれに接続する搬送設備を併用することにより、その搬送速度を引き上げ、長距離の搬送を効率よく行うことが可能になる。
【発明の実施をするための最良の形態】
【００１０】  図１及び図２が示すように建物床用櫛型踏板３７の先端又は往復型搬送設備１２の第一踏棒２７及び第二踏棒２８の先端が差し込まれるよう、等ピッチの多数の角溝４をその上面に設けた横向長尺踏板３を並列して多数本並べて、その下に数本の鋼製板チェイン６を直交するように配置して、その横向長尺踏板３の裏面の突出部の孔５と鋼製板チェイン６のリンク板の孔７を長尺串棒８により串差しして取付けて鋼製板チェイン６と多数の横向長尺踏板３がすだれ状に組合わせて長尺のエンドレスの折板式コンベアー１を形成し、その縦方向の鋼製板チェイン６をチェインホイール９により駆動する。そして鋼製板チェイン６の連結部のローラーはその下のチェインガイドレール１１により支えられているため、横向長尺踏板３上の荷重は円滑に搬送することが可能である。又このローラーと連結ピンの間には転動する針を介在させることにより、より円滑に走行させることが可能となる。
【００１１】  図３、図４、図５、図６及び図７は往復動型搬送設備の一例を示すものであって物差状鋼板の第一踏棒２７を横向きに立て、同じ形状の第二踏棒２８をそれに添わして重ねて立て、次にその踏捧の厚さと略同寸の空間をあけて、再び第一踏棒２７、第二踏棒２８、及び空間を繰り返して簀子状に配置した後、第一踏棒２７は第一往復移動台３１に取付けられた２本の第一踏棒支持梁２９に立てた状態で固定して、第一昇降台３５上を第一踏棒２７の表手方向に滑動しうるようにして第一踏棒２７の先端を折板式コンベアー１の横向長尺踏板３上面の多数の角溝４又は建物床用櫛型踏板３７の切込み部内に差し込んで往復運動させる構造とする。
【００１２】  上記の第一踏棒２７の差し込み前進のときは第一踏棒２７の上面を折板式コンベアー１の横向長尺踏板３の上面より僅かに低くして前進させ横向長尺踏板３の角溝４内に差し込んだ後、直ちにその上面を横向長尺踏板３の上面より僅かに高く押し上げることにより乗客又は積載物は持ち上げられ、そのまま水平に後方まで移送される。そして最後端に達すると、この位置で僅かに低く下げ、再び前進させる周遊運動をさせる。第二踏棒２８は同様に第二往復移動台３２に取付けられた２本の第二踏棒支持梁３０に固定し、第二昇降台３６上を第二踏棒２８の長手方向に滑動しうるようにしているので第一踏棒２７が低く下げられるときは、半周期遅れて周遊している第二踏棒２８が上昇して、乗客又は積載物を支えて引き続き後方へ移送されるようになる。
【００１３】  第一踏棒２７及び第二踏棒２８の後端は建物床用櫛型踏板３７の先端の隙間にも差し込まれ往復運動するため、この上の乗客・積載物はつまずくことなく、その上に乗り移ることが出来る。
【００１４】  上記の乗り移りの作動を行うために、一台の減速機付モーター１４により駆動されるウォーム歯車１６により両側の二個の往復動用歯車１７及び１８を同時に回転し、更にこれに噛み合っている同歯数の四個の円筒カム付歯車１９、２０、２１及び２２も同時に回転させる構造としている。この機構は減速機付モーター１４の反対側の駆動軸１５に取付けたウォーム歯車１６においても同様に４個の円筒カム付歯車１９、２０、２１及び２２の噛合わせは行われている。
【００１５】  第一踏棒２７を折板式コンベアー１又は建物床用櫛型踏板３７に向かい前進させるときは第一往復動用歯車１７の回転により第一往復移動用リンク３４を介して、第一往復移動台３１を左へ押し進め、第一踏棒２７の先端が最左位置に達すると、第一左円筒カム付歯車１９と第一右円筒カム付歯車２０はそれぞれこれらに噛み合うカム用小車輪２５を押し上げ、従って第一昇降台３５は押し上げられ第一往復移動台３１従って第一踏棒２７は僅かに押し上げられる。
図３、図４、図５及び図６はこの時の状態を示すものである。
【００１６】  次に、そのまま回転する第一往復動用歯車１７により、第一往復移動用リンク３３を介して、第一踏棒２７は水平に後方へ移動する。このとき第一左円筒カム付歯車１９及び第一右円筒カム付歯車２０のカム溝２３は高い位置の範囲で半円周回転するので第一踏棒２７は高い位置のまま、上の乗客等を載せて後方へ移送させる。第一踏棒２７は後方に達すると、第一左円筒カム付歯車１９と第一右円筒カム付歯車２０のカム溝２３は低位置に落ち込むので第一踏棒２７は僅かに引き下げられる。そして引き下げられたまま第一往復動用歯車１７の回転により前方へ押し出される。前方に達すると、図に示した最初の状態に戻り、第一踏棒２７は僅かに押し上げられる。以降は同じ周遊運動を繰り返す。
【００１７】  上記の通り第一踏棒２７が右後方に達して僅かに引き下げられたときウォーム歯車１６に噛み合っている同形状の第二往復動用歯車１８及び第二左円筒カム付歯車２１及び第二右円筒カム付歯車２２により第二踏棒２８の先端は反対に最左端に押し出されており、僅かに高い位置に上がっている。
【００１８】  第一踏棒２７が図に示した状態の通り、その先端が最左位置にあるとき、第二踏棒２８の先端は図に示した通り最右位置にあり、第二左円筒カム付歯車と第二左円筒カム付歯車のカム溝２３は低位置にあるため、第二踏棒２８は僅かに低い位置にある。そして第二往復動用歯車１８が回転し、第二往復リンク３４に引っ張られて第二往復台３２に載せられた第二踏棒２８は左〜進むときも低位置のまま進み、最左端に達するとカム溝２３は高位置に変わるため、第二踏棒２８は浮き上がり、第一踏棒２７と同じ回路を半周期遅れて周遊運転し、乗客等を右後方へ移送するようになる。
【００１９】  以上の通り、第一踏棒２７、第二踏棒２８を前後進運動に同期して上下運動を連動させ、しかも半同期遅れて周遊運転させるためには一台の減速機付モーター１４により同円周の六枚の歯車１７、１８、１９、２０、２１及び２２の連携同時駆動により初めて可能になり、時間差のない確実な作動を達成できる。
【００２０】  折板式コンベアー１の両端に往復動型搬送設備１２を接続し、更にその外側、両端に建物床用櫛型踏板３７を配置し、乗客は中速運転の往復動型搬送設備１２に乗り込み、次に高速運転の折板式コンベアー１に乗り移ることにより折板式コンベアー１の運行速度を引上げ、又折板式コンベアー１より中速の往復動型搬送設備１２に乗り移った後、建物床に安全に降りうるようにした高低速複合搬送が可能になる。
【図面の簡単な説明】
【００２１】
【図１】本発明の折板式コンベアーの実施形態の実施例を示す縦断面図
【図２】図１のＡ−Ａ断面図
【図３】本発明の往復動型搬送設備の実施形態の実施例を示す平面図
【図４】図３のＢ−Ｂ断面図
【図５】図３のＣ−Ｃ断面図
【図６】図３のＤ−Ｄ断面図
【図７】図３のＥ−Ｅ断面図
【符号の説明】
【００２２】  １・・・折板式コンベアー              ２・・・コンベアー架台
３・・・横向長尺踏板                  ４・・・踏板の角溝
５・・・踏板裏面の突出部の孔          ６・・・鋼製板チェイン
７・・・チェインリンク板の孔          ８・・・長尺串棒
９・・・チェインホイール            １０・・・チェインホイール駆動軸
１１・・・チェインガイドレール        １２・・・往復型搬送設備
１３・・・搬送設備架台                １４・・・搬送設備駆動用減速機付モーター
１５・・・搬送設備用駆動軸            １６・・・ウォーム歯車
１７・・・第一往復動用歯車            １８・・・第二往復動用歯車
１９・・・第一左円筒カム付歯車        ２０・・・第一右円筒カム付歯車
２１・・・第二左円筒カム付歯車        ２２・・・第二右円筒カム付歯車
２３・・・第一円筒カム付歯車のカム溝  ２４・・・第二円筒カム付歯車のカム溝
２５・・・第一円筒カム用小車輪        ２６・・・第二円筒カム用小車輪
２７・・・第一踏棒                    ２８・・・第二踏棒
２９・・・第一踏棒支持梁              ３０・・・第二踏棒支持梁
３１・・・第一往復移動台              ３２・・・第二往復移動台
３３・・・第一往復移動用リンク        ３４・・・第二往復移動用リンク
３５・・・第一昇降台                  ３６・・・第二昇降台
３７・・・建物床用櫛型踏板
【図１】
2010042930.tif 000003
【図２】
2010042930.tif 000004
【図３】
2010042930.tif 000005
【図４】
2010042930.tif 000006
【図５】
2010042930.tif 000007
【図６】
2010042930.tif 000008
【図７】
2010042930.tif 000009